(57)【要約】【課題】他の無線通信装置との混信を容易に回避できるようにする。【解決手段】送信側の無線通信装置は、それぞれ、互いに異なる第１および第２の周波数で同一のコンテンツを送信し得る第１および第２の送信部を備えている。受信側の無線通信装置は、それぞれ、互いに異なる第１および第２の周波数で無線信号を受信する第１および第２の受信部と、一方の受信部による受信に混信が生じた場合に、他方の受信部を選択するように切り替える切り替え回路を備えている。【選択図】図１
2013243549.tif 000002
【特許請求の範囲】
【請求項１】
コンテンツを送信する無線通信装置であって、
それぞれ、互いに異なる第１および第２の周波数で無線信号を送信する第１および第２の送信部を備え、
上記第１および第２の送信部は、同一のコンテンツを送信し得るように構成されていることを特徴とする無線通信装置。
【請求項２】
請求項１の無線通信装置であって、
さらに、少なくとも、上記第１および第２の周波数による通信の遅延時間の差の遅延時間を有する遅延メモリを備えたことを特徴とする無線通信装置。
【請求項３】
請求項１および請求項２のうち何れか１項の無線通信装置であって、
上記第１および第２の送信部の一方による通信に混信が生じた場合に、他方の送信部による送信を継続するとともに、上記混信が生じた送信部は、混信が生じない第３の周波数で送信を行い得る状態にされるように構成されていることを特徴とする無線通信装置。
【請求項４】
請求項１から請求項３のうち何れか１項の無線通信装置であって、
上記第１および第２の何れの送信部による通信にも混信が生じない場合に、一方の送信部が待機状態にされるとともに、他方の送信部に混信が生じた場合に、動作状態にされて、所定の時間だけ遅延された信号が送信されるように構成されていることを特徴とする無線通信装置。
【請求項５】
請求項１から請求項４のうち何れか１項の無線通信装置であって、
さらに、何れの送信部による通信にも混信が生じた場合に、上記混信が生じている間に入力または生成されるコンテンツを記憶する記憶部を備え、
少なくとも何れかの送信部による通信の混信が解消した後に、上記記憶部に記憶されたコンテンツ、およびその後に入力または生成されるコンテンツを遅延して送信するように構成されていることを特徴とする無線通信装置。
【請求項６】
請求項５の無線通信装置であって、
上記コンテンツが遅延して送信される遅延時間を表示する映像を上記コンテンツに合成して送信するように構成されていることを特徴とする無線通信装置。
【請求項７】
請求項５および請求項６のうち何れか１項の無線通信装置であって、
上記遅延して送信されるコンテンツの送信時点で入力または生成されるコンテンツを表示する子画面を上記コンテンツに合成して送信するように構成されていることを特徴とする無線通信装置。
【請求項８】
コンテンツを受信する無線通信装置であって、
それぞれ、互いに異なる第１および第２の周波数で無線信号を受信する第１および第２の受信部と、
上記第１および第２の受信部の一方による受信に混信が生じた場合に、他方の受信部を選択するように切り替える切り替え回路を備えたことを特徴とする無線通信装置。
【請求項９】
請求項８の無線通信装置であって、
さらに、少なくとも、上記第１および第２の周波数による通信の遅延時間の差、および上記切り替え回路の切り替えに要する時間だけの遅延時間を有する遅延メモリを備えたことを特徴とする無線通信装置。
【請求項１０】
請求項９の無線通信装置であって、
上記遅延メモリは、さらに、コンテンツにおける映像信号の垂直同期信号、または水平同期信号の１周期以上の遅延時間を有し、
上記切り替え回路は、上記垂直同期信号、または水平同期信号に同期して、上記受信部を切り替えるように構成されていることを特徴とする無線通信装置。
【請求項１１】
請求項８から請求項１０のうち何れか１項の無線通信装置であって、
上記第１および第２の受信部の一方による受信に混信が生じた場合に、他方の受信部による受信を継続するとともに、上記混信が生じた受信部は、混信が生じない第３の周波数で受信を行い得る状態にされるように構成されていることを特徴とする無線通信装置。
【請求項１２】
請求項８から請求項１１のうち何れか１項の無線通信装置であって、
上記第１および第２の何れの受信部による受信にも混信が生じない場合に、一方の受信部が待機状態にされるように構成されていることを特徴とする無線通信装置。
【請求項１３】
請求項１２の無線通信装置であって、
通信の遅延時間が長い方の受信部が待機状態にされるように構成されていることを特徴とする無線通信装置。
【請求項１４】
請求項１から請求項７のうち何れか１項の送信側の無線通信装置と、請求項８から請求項１３のうち何れか１項の受信側の無線通信装置とを備えたことを特徴とする無線通信システム。
【発明の詳細な説明】
【技術分野】
【０００１】
本発明は、無線通信によって映像信号等のコンテンツが送受される、例えばセットトップボックスとテレビなどの無線通信装置に関するものである。
【背景技術】
【０００２】
近年、無線通信機能を有する家庭用電化製品などが多く用いられつつある。具体的には、例えばチューナやインターネットのルータとしての機能を有するセットトップボックスと、モニタとしてのテレビとの間で映像信号が無線通信されるようにすることにより、設置の自由度を高めて利便性の向上を図ることなどが可能になる。
【０００３】
一方、そのような無線通信装置が普及すると、複数組の無線通信装置間で通信の干渉が生じがちになる。そこで、例えば所定の時間単位ごとのリトライの発生回数に基づいて変調レートおよびＭＰＥＧレートの最適値を求め、これに従って無線通信する技術が提案されている。また、パケットの送信期間を短くし、他の組の無線通信装置と送信期間が重ならないようにする技術も提案されている（例えば、特許文献１（要約、図１５）参照）。
【先行技術文献】
【特許文献】
【０００４】
【特許文献１】特開平２００６−８６７５１号公報
【発明の概要】
【発明が解決しようとする課題】
【０００５】
しかしながら、上記のように変調レートの最適値等を求めても、実際に混信が生じている場合には、その影響を確実に除去できるとは限らない。また、パケットの送信期間が重ならないようにする技術は、互いにそのような制御が行われる装置間でしか混信を防ぐことができない。
【０００６】
本発明は、かかる点に鑑みてなされたものであり、その目的は、他の無線通信装置との混信を容易に回避できるようにすることにある。
【課題を解決するための手段】
【０００７】
第１の発明は、
コンテンツを送信する無線通信装置であって、
それぞれ、互いに異なる第１および第２の周波数で無線信号を送信する第１および第２の送信部を備え、
上記第１および第２の送信部は、同一のコンテンツを送信し得るように構成されていることを特徴とする。
【０００８】
これにより、一方の周波数で他の無線通信装置との混信が生じたとしても、他方の異なる周波数での送信が行われているので、混信の影響を回避することが可能になる。
【０００９】
第２の発明は、
第１の発明の無線通信装置であって、
さらに、少なくとも、上記第１および第２の周波数による通信の遅延時間の差の遅延時間を有する遅延メモリを備えたことを特徴とする。
【００１０】
これにより、２つの周波数による通信の遅延時間に差がある場合でも、受信側の無線通信装置に、同期したタイミングで受信をさせることができる。
【００１１】
第３の発明は、
第１の発明および第２の発明のうち何れか１つの無線通信装置であって、
上記第１および第２の送信部の一方による通信に混信が生じた場合に、他方の送信部による送信を継続するとともに、上記混信が生じた送信部は、混信が生じない第３の周波数で送信を行い得る状態にされるように構成されていることを特徴とする。
【００１２】
これにより、さらに上記他方の送信部による通信に混信が生じた場合でも、最初の周波数で生じた混信が解消しているかどうかに関わらず、上記第３の周波数で送信が行われることにより混信の影響を回避することができる。
【００１３】
第４の発明は、
第１の発明から第３の発明のうち何れか１つの無線通信装置であって、
上記第１および第２の何れの送信部による通信にも混信が生じない場合に、一方の送信部が待機状態にされるとともに、他方の送信部に混信が生じた場合に、動作状態にされて、所定の時間だけ遅延された信号が送信されるように構成されていることを特徴とする。
【００１４】
これにより、上記のように混信の影響を回避しつつ、消費電力の低減を図ることができる。
【００１５】
第５の発明は、
第１の発明から第４の発明のうち何れか１つの無線通信装置であって、
さらに、何れの送信部による通信にも混信が生じた場合に、上記混信が生じている間に入力または生成されるコンテンツを記憶する記憶部を備え、
少なくとも何れかの送信部による通信の混信が解消した後に、上記記憶部に記憶されたコンテンツ、およびその後に入力または生成されるコンテンツを遅延して送信するように構成されていることを特徴とする。
【００１６】
これにより、何れの送信部による通信にも混信が生じた場合でも、その混信が生じている間のコンテンツも含む欠落のないコンテンツを送信することができる。
【００１７】
第６の発明は、
第５の発明の無線通信装置であって、
上記コンテンツが遅延して送信される遅延時間を表示する映像を上記コンテンツに合成して送信するように構成されていることを特徴とする。
【００１８】
これにより、視聴者が、表示映像の途切れていた時間を容易に確認できるようにすることなどが可能になる。
【００１９】
第７の発明は、
第５の発明および第６の発明のうち何れか１つの無線通信装置であって、
上記遅延して送信されるコンテンツの送信時点で入力または生成されるコンテンツを表示する子画面を上記コンテンツに合成して送信するように構成されていることを特徴とする。
【００２０】
これにより、無線通信装置にコンテンツが入力された時間と送信される時間とのずれを映像で確認したり、欠落のない映像を視聴しつつ、子画面で実時間での入力内容を見たりすることができる。
【００２１】
第８の発明は、
コンテンツを受信する無線通信装置であって、
それぞれ、互いに異なる第１および第２の周波数で無線信号を受信する第１および第２の受信部と、
上記第１および第２の受信部の一方による受信に混信が生じた場合に、他方の受信部を選択するように切り替える切り替え回路を備えたことを特徴とする。
【００２２】
これにより、一方の周波数で他の無線通信装置との混信が生じたとしても、他方の異なる周波数での送信が行われているので、混信の影響を回避することが可能になる。
【００２３】
第９の発明は、
第８の発明の無線通信装置であって、
さらに、少なくとも、上記第１および第２の周波数による通信の遅延時間の差、および上記切り替え回路の切り替えに要する時間だけの遅延時間を有する遅延メモリを備えたことを特徴とする。
【００２４】
これにより、２つの周波数による通信の遅延時間に差がある場合でも、同期したタイミングで受信をすることができる。
【００２５】
第１０の発明は、
第９の発明の無線通信装置であって、
上記遅延メモリは、さらに、コンテンツにおける映像信号の垂直同期信号、または水平同期信号の１周期以上の遅延時間を有し、
上記切り替え回路は、上記垂直同期信号、または水平同期信号に同期して、上記受信部を切り替えるように構成されていることを特徴とする。
【００２６】
これにより、映像信号の同期状態を保った状態で受信部を切り替えることが容易にできる。
【００２７】
第１１の発明は、
第８の発明から第１０の発明のうち何れか１つの無線通信装置であって、
上記第１および第２の受信部の一方による受信に混信が生じた場合に、他方の受信部による受信を継続するとともに、上記混信が生じた受信部は、混信が生じない第３の周波数で受信を行い得る状態にされるように構成されていることを特徴とする。
【００２８】
これにより、さらに上記他方の受信部による通信に混信が生じた場合でも、最初の周波数で生じた混信が解消しているかどうかに関わらず、上記第３の周波数で受信が行われることにより混信の影響を回避することができる。
【００２９】
第１２の発明は、
第８の発明から第１１の発明のうち何れか１つの無線通信装置であって、
上記第１および第２の何れの受信部による受信にも混信が生じない場合に、一方の受信部が待機状態にされるように構成されていることを特徴とする。
【００３０】
これにより、上記のように混信の影響を回避しつつ、消費電力の低減を図ることができる。
【００３１】
第１３の発明は、
第１２の発明の無線通信装置であって、
通信の遅延時間が長い方の受信部が待機状態にされるように構成されていることを特徴とする。
【００３２】
これにより、その後に混信が生じた場合でも、同様に同期状態を保った状態で受信部を切り替えることが容易にできる。
【発明の効果】
【００３３】
本発明では、他の無線通信装置との混信を容易に回避できるようにすることが可能になる。
【図面の簡単な説明】
【００３４】
【図１】実施形態１の無線通信システムの構成を示すブロック図である。
【図２】実施形態１で通信される信号の例を示すタイミングチャートである。
【図３】実施形態２の無線通信システムの構成を示すブロック図である。
【図４】実施形態２で通信される信号の例を示すタイミングチャートである。
【図５】実施形態３の無線通信システムの構成を示すブロック図である。
【図６】実施形態４の無線通信システムの構成を示すブロック図である。
【図７】実施形態４の無線通信システムで行われる表示の例を示す正面図である。
【図８】実施形態５の無線通信システムの構成を示すブロック図である。
【図９】実施形態５の無線通信システムで行われる表示の例を示す正面図である。
【発明を実施するための形態】
【００３５】
以下、本発明の例示的な実施形態を図面に基づいて詳細に説明する。なお、以下の各実施形態において、他の実施形態と同様の機能を有する構成要素については同一の符号を付して説明を省略する。
【００３６】
《実施形態１》
実施形態１として、図１に示すように、送信側の無線通信装置であるセットトップボックス１０１と、受信側の無線通信装置であるテレビ２０１とから構成される無線通信システムの例について説明する。
【００３７】
セットトップボックス１０１は、チューナー・入出力回路１０２と、映像コントローラー１０３と、第１・第２無線通信部１０４・１０５（送信部）とを備えて構成されている。
【００３８】
上記チューナー・入出力回路１０２は、例えばアンテナ線が接続されて放送を受信したり、ＬＡＮケーブルを介してインターネット等からコンテンツデータが入力されたり、外部または内臓のＢＤ（Blu-ray（登録商標） Disc）レコーダーやＨＤＤ（ハードディスクドライブ）などからディジタルまたはアナログの映像音声信号が入力されたりするものである。
【００３９】
映像コントローラー１０３は、例えば映像の明るさや、コントラスト、色相等の映像調整や画像処理などを行うものである。なお、このような映像コントローラー１０３はテレビ２０１に設けてもよい。
【００４０】
第１・第２無線通信部１０４・１０５は、互いに異なる周波数で、映像コントローラー１０３から出力されるコンテンツを送信するものである。具体的には、例えば、２．４ＧＨｚ（ＩＥＥＥ８０２．１１ａ）、５ＧＨｚ（ＩＥＥＥ８０２．１１ｎ、１１ａｃ、ＷＨＤＩ）、６０ＧＨｚ（ＩＥＥＥ８０２．１１ａｄ、ｗｉｒｅｌｅｓｓＨＤ、ＷｉＧｉｇ）のうち、２つ以上の周波数（同周波数帯での異なるチャンネルを含む。）で送信を行えるようになっている。
【００４１】
一方、テレビ２０１は、第１・第２無線通信部２０２・２０３（受信部）と、同期・切替回路２０４と、液晶タイミングコントローラー２０５と、液晶表示パネル２０６と、バックライトコントローラー２０７と、バックライトユニット２０８とを備えて構成されている。
【００４２】
第１・第２無線通信部２０２・２０３は、上記セットトップボックス１０１の第１・第２無線通信部１０４・１０５に対応して、互いに異なる周波数で送信されたコンテンツを受信するものである。また、第１・第２無線通信部１０４・１０５は、常に通信状態（混信の有無）を検出するとともに、空きチャンネルをサーチし、第１・第２無線通信部１０４・１０５の一方に混信が生じた場合には、他方による受信状態を維持するとともに、混信した一方の第１・第２無線通信部１０４・１０５は、次に上記他方が混信した場合に備えて、空きチャンネルに移行しておくようになっている。
【００４３】
ここで、上記混信の検出は、例えば同期信号の検出など種々の手法が適用できる。また、その検出は、セットトップボックス１０１、またはテレビ２０１の一方で行って他方に伝達するようにしてもよいし、両方で検出するようにしてもよい。
【００４４】
また、上記空きチャンネルのサーチは、第１・第２無線通信部１０４・１０５の一方で行われるようにしてもよいし、双方で行われるようにしたりしてもよい。また、第１・第２無線通信部１０４・１０５と第１・第２無線通信部２０２・２０３とが対応して同じ周波数を使用するようにする手法としては、例えば移動先のチャンネルを指示する制御信号を送受するなど、いわゆるペアリングの種々の手法が適用可能である。
【００４５】
同期・切替回路２０４は、第１・第２無線通信部２０２・２０３で受信されるコンテンツの遅延時間の差を吸収するとともに、一方による受信に混信が生じた場合に、他方に切り替えるようになっている。具体的には、例えば同期・切替回路２０４には、第１・第２メモリ２０４ａ・２０４ｂ（遅延メモリ）、通信機器制御回路２０４ｃ、および出力切替回路２０４ｄが設けられている。第１・第２メモリ２０４ａ・２０４ｂは、それぞれ第１・第２無線通信部２０２・２０３に接続され、例えばこれらで受信される２つのコンテンツの遅延時間の差と、映像信号の垂直同期信号、または水平同期信号の１周期以上の時間だけ、入力されたコンテンツを遅延させて出力させることにより、上記２つのコンテンツを同期させて、混信時にスムーズな切り替えを可能にするようになっている。通信機器制御回路２０４ｃは、第１・第２無線通信部１０４・１０５の一方に混信が生じた場合に、出力切替回路２０４ｄを制御して、他方の第１・第２無線通信部１０４・１０５を選択させるようになっている。より詳しくは、混信が検出された時点で既に第１・第２メモリ２０４ａ・２０４ｂに入力されている垂直同期信号、または水平同期信号が第１・第２メモリ２０４ａ・２０４ｂから出力されるタイミングで、他方の第１・第２メモリ２０４ａ・２０４ｂの出力に切り替えられるようになっている。
【００４６】
ここで、上記第１・第２メモリ２０４ａ・２０４ｂの遅延時間を設定するための、第１・第２無線通信部２０２・２０３による通信の遅延時間の差は、例えばセットトップボックス１０１とテレビ２０１との間でのテスト通信などによって求められる。より具体的には、例えば垂直同期信号や水平同期信号（とデータの番地）をそれぞれカウンターにてカウントしておき、映像コントローラー１０３等が生成したテスト信号を伝送して、それぞれのカウンターとテスト信号同士を照合することなどにより求めることができる。
【００４７】
液晶タイミングコントローラー２０５は、液晶表示パネル２０６を駆動し、同期・切替回路２０４から出力されるコンテンツに応じた映像を表示させるようになっている。
【００４８】
バックライトコントローラー２０７は、バックライトユニット２０８を駆動し、その点灯状態を制御するようになっている。
【００４９】
次に、混信が生じた場合の具体的な動作の例を図２に基づいて説明する。
【００５０】
同図中、負側のパルスは、垂直同期信号（Vsync）または水平同期信号（Hsync）を示している。映像や音声データは、これらの同期信号に同期して同時に送信されているが、便宜上、ここでは省略して同期信号に代表させて説明する。ここで、同図において各パルスに付された符号において、「−」の前の数値「１〜４」は、それぞれ第１・第２無線通信部２０２・２０３または第１・第２メモリ２０４ａ・２０４ｂの何れから出力された同期信号であるかを示し、「−」の後の同一の数値は、元のコンテンツにおける同一の同期信号（同一の内容の信号）であることを示す。
【００５１】
同図の例では、第１無線通信部２０２で受信される同期信号（例えば１−１）よりも、第２無線通信部２０３で受信される同期信号（例えば２−１）の方が遅延しているのに対し、それぞれ第１・第２メモリ２０４ａ・２０４ｂで遅延されることにより、同期したタイミングの同期信号（３−１）（４−１）として出力される。そこで、例えば第１メモリ２０４ａから出力される同期信号が出力切替回路２０４ｄにより選択されて、液晶タイミングコントローラー２０５に入力され、これに応じた映像の表示等が行われる。
【００５２】
ここで、例えば第１無線通信部２０２による通信に混信が生じて、同期信号（１−３）と（１−４）の間のタイミングＡ以降に正常な受信ができなくなったとすると、通信機器制御回路２０４ｃは、第１無線通信部２０２からの混信検出信号に応じて、上記同期信号（１−３）と同じ同期信号（２−３）が第２無線通信部２０３により受信されて第２メモリ２０４ｂから同期信号（４−３）として出力されるタイミング（すなわち混信による正常でない信号が第１メモリ２０４ａから出力されるより前のタイミング）で、第２無線通信部２０３から第２メモリ２０４ｂを介して出力される信号が選択されるように出力切替回路２０４ｄを制御する。これにより、混信の影響を回避して、途切れなくコンテンツ映像を表示させることができる。
【００５３】
また、このとき、第１無線通信部２０２は、混信が生じない空きチャンネルをサーチし、その空きチャンネルで第１無線通信部１０４との間で通信が行われるようにする。
【００５４】
そこで、例えば、次に第２無線通信部２０３による通信に混信が生じて、同期信号（２−６）と（２−７）の間のタイミングＢ以降に正常な受信ができなくなった場合には、同様に、第１メモリ２０４ａから同期信号（３−６）が出力されるタイミングで、第１メモリ２０４ａから出力される信号が出力切替回路２０４ｄによって選択され、やはり、連続的な映像の表示が行われる。
【００５５】
なお、出力切替回路２０４ｄによる切り替えタイミングは、上記のように同期信号に同期したタイミングで行われるようにする場合には、例えば、同期信号をトリガとして切り替えるなど、制御しやすくなるが、これに限らず、例えば、混信が生じたタイミングやそのときの受信信号が第１・第２メモリ２０４ａ・２０４ｂから出力されるタイミングを解析するなどして、同期信号には限らないタイミングで切り替えられるようにしてもよい。
【００５６】
また、第１・第２メモリ２０４ａ・２０４ｂの遅延容量は、例えば混信が生じたときに第１・第２メモリ２０４ａ・２０４ｂの出力が瞬時に切り替えられる場合などには、最低限、第１・第２無線通信部２０２・２０３での受信の遅延時間の差だけあればよいが、長く設定されるほど、（製造コストは増加するかもしれないが）切り替え制御の余裕は容易に大きくすることができる。すなわち、例えば上記のように受信遅延時間の差に加えて、垂直同期信号、または水平同期信号の１周期以上の時間だけ遅延される場合には、双方の第１・第２メモリ２０４ａ・２０４ｂに必ず同期信号が蓄積されていることになるので、同期信号が第１・第２メモリ２０４ａ・２０４ｂから出力されるタイミングで切り替え制御することなどが容易にできる。
【００５７】
また、出力切替回路２０４ｄによる切り替えは、それぞれの第１・第２無線通信部２０２・２０３による通信に混信が生じたときにだけ行われるのに限らず、例えば第１無線通信部２０２による通信に混信が生じて切り替えが行われた場合、その混信が解消したときは、第１無線通信部２０２による通信が有効になるように戻されるようにしてもよい。
【００５８】
《実施形態２》
例えば図３に示すように、セットトップボックス１０１に通信機器制御回路１１１を設け、例えば図４に示すように第１無線通信部１０４による通信が正常に行われる場合には、第２無線通信部１０５の動作を待機（休止）させ、第１無線通信部１０４の通信に混信が生じている間に、第２無線通信部１０５を動作させるとともに、テレビ２０１での信号の切り替えによって欠落が生じない時間（例えば同期信号の１周期以上）だけ遅延させた信号が送信されるようにしてもよい。この場合、テレビ２０１の第１メモリ２０４ａは、上記セットトップボックス１０１での遅延時間も含む通信の遅延時間の差だけの遅延時間を有し得るようにすればよい。
【００５９】
このように、第２無線通信部１０５を待機状態にすることによって、消費電力の低減を図ることができる。
【００６０】
また、例えば第２無線通信部２０３による通信の遅延時間の方が第１無線通信部２０２による通信の遅延時間よりも長い場合（上記のようにセットトップボックス１０１で遅延される場合も含む）に、テレビ２０１の同期・切替回路２０４等に第１・第２無線通信部２０２・２０３の待機制御機能を持たせ、通常は、第１無線通信部２０２を動作させる一方、第２無線通信部２０３（および／または第２メモリ２０４ｂ）を待機（休止）状態にし、第１無線通信部２０２による通信に混信が生じた場合にだけ、第２無線通信部２０３等を動作状態にするようにしてもよい。
【００６１】
すなわち、第２無線通信部２０３による通信の方が遅延時間が長い場合には、例えば第１無線通信部２０２による通信の混信がタイミングＣで検出された後に第２無線通信部２０３等を動作状態にしても、混信発生前の同期信号（２−３）を受信できるので、やはり、混信の影響を回避して、途切れなくコンテンツ映像を表示させることができる。
【００６２】
上記のような切り替えが行われた後には、第１無線通信部２０２による通信の混信が解消した場合に、再度、第１メモリ２０４ａからの出力が選択されるようにして、第２無線通信部２０３等を待機状態にし、消費電力の低減を図ることなどができる。
【００６３】
《実施形態３》
例えば図５に示すように、第１・第２無線通信部１０４・１０５、および第１・第２無線通信部２０２・２０３による通信の遅延時間が一定で、かつあらかじめ判る場合には、セットトップボックス１０１側に、上記実施形態１（図１）等の同期・切替回路２０４と同様の、第１・第２メモリ１２１ａ・１２１ｂ、通信機器制御回路１２１ｃ、および出力切替回路１２１ｄを有する同期・切替回路１２１を設けるようにしてもよい。
【００６４】
上記通信機器制御回路１２１ｃには、あらかじめ、第１・第２無線通信部１０４・１０５等による通信の遅延時間の差を示す伝送遅延情報が設定され、これに応じて、第１・第２メモリ１２１ａ・１２１ｂの遅延時間が制御されるようになっている。なお、上記のような伝送遅延情報は、セットトップボックス１０１とテレビ２０１との間でのテスト通信などによって求められるなどしてもよい。
【００６５】
上記出力切替回路１２１ｄは、第１・第２メモリ１２１ａ・１２１ｂの出力をそれぞれ対応する第１・第２無線通信部１０４・１０５に入力するように切り替えるようになっている。
【００６６】
また、同図の例では、テレビ２０１の通信機器切替回路２１１の切り替えは、セットトップボックス１０１の第１・第２無線通信部１０４・１０５の制御によって行われる。すなわち、セットトップボックス１０１の第１・第２無線通信部１０４・１０５とテレビ２０１の第１・第２無線通信部２０２・２０３との間では、通信が正常に行われているかが常に確認され、どちらかの第１・第２無線通信部１０４・１０５が送信できていない場合、その送信できていない送信機側が同期・切替回路１２１へ情報を送り、それにより、同期・切替回路１２１が、送信できている方の第１・第２無線通信部１０４・１０５から、テレビ２０１の第１・第２無線通信部２０２・２０３を介して、通信機器切替回路２１１へ制御情報を送ることにより、通信機器切替回路２１１が、通信可能な第１・第２無線通信部２０２・２０３を選択するように制御される。
【００６７】
なお、混信が起きたときに、通信機器切替回路２１１による切り替えが瞬時に行われず、ある程度の時間を要する場合には、その切り替えに要する時間に応じた遅延メモリをテレビ２０１に設けるようにしてもよい。
【００６８】
上記のような構成によれば、テレビ２０１の回路を低減することができるので、テレビ２０１の軽量化や低消費電力化が容易になる。
【００６９】
《実施形態４》
例えば図６に示すように、セットトップボックス１０１の内部（または外部）に、ハードディスクドライブ等の大容量の記憶装置３１１（記憶部）を設けて、第１・第２無線通信部１０４・１０５による通信が何れも混信により不可能な場合に、その間にチューナー・入出力回路１０２に入力されるコンテンツを蓄積し、混信が解消した後に、混信発生時点からのコンテンツが送信されるようにしてもよい。具体的には、例えば、テレビ２０１の通信機器制御回路２０４ｃは、混信の発生時に、その時刻等を示す情報を保存し、通信が復帰したと時に、その時刻からのコンテンツを送信するようにセットトップボックス１０１に指示するようになっている。
【００７０】
また、上記のような送信が行われる場合には、表示映像の途切れていた時間が算出されて、例えば、映像コントローラー１０３’によって、図７に示すような遅延時間表示３０１が合成され、液晶表示パネル２０６に表示されるようにしてもよい。このような場合、例えばいわゆるコマーシャルスキップが手動または自動で行われれば、実際の放送時間との差（入力映像との時間差）が短くなることや、実際の放送時間に追いついたことなどが容易に把握できる。
【００７１】
《実施形態５》
また、例えば図８に示すように、上記映像コントローラー１０３’に代えて映像コントローラー１０３”を設け、図９に示すように、チューナー・入出力回路１０２に実際に入力されるコンテンツが縮小されて子画面３０２として表示されるようにしてもよい。これにより、時間のずれを映像で確認したり、欠落のない映像を視聴しつつ、子画面３０２で実時間での放送内容を見たりすることができる。
【００７２】
なお、上記各実施形態で説明した構成は、論理的に可能な範囲で種々組み合わせてもよい。
【産業上の利用可能性】
【００７３】
以上説明したように、本発明は、例えば無線通信によって映像信号が送受されるチューナとモニタなどの無線通信装置について有用である。
【符号の説明】
【００７４】
１０１      セットトップボックス
１０２      チューナー・入出力回路
１０３      映像コントローラー
１０３’    映像コントローラー
１０３”    映像コントローラー
１０４      第１無線通信部
１０５      第２無線通信部
１１１      通信機器制御回路
１２１      同期・切替回路
１２１ａ    第１メモリ
１２１ｂ    第２メモリ
１２１ｃ    通信機器制御回路
１２１ｄ    出力切替回路
２０１      テレビ
２０２      第１無線通信部
２０３      第２無線通信部
２０４      同期・切替回路
２０４ａ    第１メモリ
２０４ｂ    第２メモリ
２０４ｃ    通信機器制御回路
２０４ｄ    出力切替回路
２０５      液晶タイミングコントローラー
２０６      液晶表示パネル
２０７      バックライトコントローラー
２０８      バックライトユニット
２１１      通信機器切替回路
３０１      遅延時間表示
３０２      子画面
３１１      記憶装置
【図１】
2013243549.tif 000003
【図２】
2013243549.tif 000004
【図３】
2013243549.tif 000005
【図４】
2013243549.tif 000006
【図５】
2013243549.tif 000007
【図６】
2013243549.tif 000008
【図８】
2013243549.tif 000009
【図７】
2013243549.tif 000010
【図９】
2013243549.tif 000011